(57)【要約】【課題】色調安定性、液位視認性および洗浄力に優れる液体漂白剤組成物を提供する。【解決手段】（Ａ）成分：過酸化水素を液体漂白剤組成物の総質量に対して０質量％超〜５質量％未満と、（Ｂ）成分：キノン骨格を有する色素と、（Ｃ）成分：１−ヒドロキシエタン−１，１−ジホスホン酸と、（Ｄ）成分：界面活性剤を液体漂白剤組成物の総質量に対して５質量％以上と、（Ｅ）成分：フェノール系ラジカルトラップ剤を液体漂白剤組成物の総質量に対して０〜０．２質量％未満と、を含み、２５℃におけるｐＨが２〜４、かつ２５℃における粘度が１０ｍＰａ・ｓ以上である液体漂白剤組成物。【選択図】なし【特許請求の範囲】
【請求項１】
（Ａ）成分：過酸化水素を液体漂白剤組成物の総質量に対して０質量％超〜５質量％未満と、
（Ｂ）成分：キノン骨格を有する色素と、
（Ｃ）成分：１−ヒドロキシエタン−１，１−ジホスホン酸と、
（Ｄ）成分：界面活性剤を液体漂白剤組成物の総質量に対して５質量％以上と、
（Ｅ）成分：フェノール系ラジカルトラップ剤を液体漂白剤組成物の総質量に対して０〜０．２質量％未満と、を含み、
２５℃におけるｐＨが２〜４、かつ２５℃における粘度が１０ｍＰａ・ｓ以上である液体漂白剤組成物。
【請求項２】
さらに、（Ｆ）成分：漂白活性化剤を含む、請求項１に記載の液体漂白剤組成物。
【請求項３】
請求項１又は２の液体漂白剤組成物が、容器本体を備える容器に収容されてなり、
前記容器本体の少なくとも一部は、４００〜７００ｎｍの波長領域における光透過率が１０％以上である、液体漂白剤組成物製品。
【発明の詳細な説明】
【技術分野】
【０００１】
本発明は、液体漂白剤組成物に関する。
【背景技術】
【０００２】
液体漂白剤組成物は、被洗物に付着した汚れを落とす効果（洗浄力）に優れる。なかでも、漂白剤として過酸化水素を含む組成物は、色柄物にも使用できる手軽さから現在広く使用されている。
環境負荷の低減を目的として、プラスチック製パウチ入り液体漂白剤組成物が普及してきている。通常、内容物はパウチからプラスチックボトルに詰め替えられてから使用される。
特に大容量の口栓付きパウチでは、一度に全ての液を詰め替えられないため、ボトルの液位を確認しながら詰め替える必要がある。詰め替えて繰り返し使用するプラスチックボトルには、その側面に液残量を確認するための窓部が形成されていることがある。この窓部は透明又は半透明である。そのため、液体漂白剤組成物を着色することにより、窓部から液を視認しやすくなる（液位視認性が高まる）。液位視認性が高まることにより、詰替え時や使用の際に液量を容易に確認できる。また、塗布洗浄の際にも液の広がりを視認できるため使用性も向上できる。
【０００３】
過酸化水素を含む液体漂白剤組成物では、保管中に退色する傾向がある。例えば特許文献１の液体洗浄剤組成物に配合されている青色１号などでは、漂白剤と配合すると保存後に脱色してしまう。そのため、液体漂白剤組成物の退色を防止することが望まれていた。
こうした問題に対し、特許文献２は、過酸化水素と、フェノール系ラジカルトラップ剤と、染料と、界面活性剤を含有する液体漂白剤組成物について提案している。特許文献２の液体漂白剤組成物によれば、色調安定性を発揮できる。
【先行技術文献】
【特許文献】
【０００４】
【特許文献１】特許第５３３１３３２号公報
【特許文献２】特開２００３−２６８３９８号公報
【発明の概要】
【発明が解決しようとする課題】
【０００５】
しかしながら、特許文献２の組成物では、フェノール系ラジカルトラップ剤に起因する独特の臭気があるという問題がある。
本発明は上記事情に鑑みてなされたものであり、色調安定性、液位視認性および洗浄力に優れるとともに臭気を抑制した液体漂白剤組成物を提供することを目的とする。
【課題を解決するための手段】
【０００６】
本発明者らは以下の液体漂白剤組成物が、上記課題を解決できることを見出した。
すなわち本発明は、以下の態様を有する。
［１］  （Ａ）成分：過酸化水素を液体漂白剤組成物の総質量に対して０質量％超〜５質量％未満と、
（Ｂ）成分：キノン骨格を有する色素と、
（Ｃ）成分：１−ヒドロキシエタン−１，１−ジホスホン酸と、
（Ｄ）成分：界面活性剤を液体漂白剤組成物の総質量に対して５質量％以上と、
（Ｅ）成分：フェノール系ラジカルトラップ剤を液体漂白剤組成物の総質量に対して０〜０．２質量％未満と、を含み、２５℃におけるｐＨが２〜４、かつ２５℃における粘度が１０ｍＰａ・ｓ以上である液体漂白剤組成物。
［２］  さらに、（Ｆ）成分：漂白活性化剤を含む、［１］に記載の液体漂白剤組成物。
［３］  ［１］又は［２］の液体漂白剤組成物が、容器本体を備える容器に収容されてなり、前記容器本体の少なくとも一部は、４００〜７００ｎｍの波長領域における光透過率が１０％以上である、液体漂白剤組成物製品。
【発明の効果】
【０００７】
本発明の液体漂白剤組成物は、色調安定性、液位視認性および洗浄力に優れるとともに臭気を抑制できる。
【図面の簡単な説明】
【０００８】
【図１】本発明の液体漂白剤組成物製品の一例を示す斜視図である。
【図２】本発明の液体漂白剤組成物製品の他の例を示す斜視図である。
【図３】本発明の液体漂白剤組成物製品の他の例を示す斜視図である。
【図４】本発明の液体漂白剤組成物製品の他の例を示す斜視図である。
【発明を実施するための形態】
【０００９】
≪液体漂白剤組成物≫
本発明の液体漂白剤組成物は、（Ａ）〜（Ｄ）成分を含み、（Ｅ）成分を含まないか又は少量含む。さらに（Ｆ）成分を含むことが好ましい。
＜（Ａ）成分＞
（Ａ）成分は、過酸化水素である。
（Ａ）成分の含有量は、液体漂白剤組成物の総質量に対して０質量％超〜５質量％未満である。０．５〜４．５質量％が好ましく、１〜４質量％がより好ましい。
（Ａ）成分の含有量が上記下限値以上であると、洗浄力を向上しやすい。
（Ａ）成分の含有量が上記上限値以下であると、色調安定性を向上しやすい。
【００１０】
＜（Ｂ）成分＞
（Ｂ）成分は、キノン骨格を有する色素である。（Ｂ）成分は１種単独で用いてもよく、２種以上を適宜組み合わせて用いてもよい。
（Ｂ）成分としては、ｐ−ベンゾキノン骨格を有する色素、１、４−ナフトキノン骨格を有する色素、アントラキノン骨格を有する色素が挙げられる。アントラキノン骨格を有する色素（以下、アントラキノン系色素という。）が好ましい。
【００１１】
アントラキノン系色素としては、例えばＣ．Ｉ．Ｓｏｌｖｅｎｔ  Ｂｌｕｅ  ６３（Ｃ．Ｉ．ソルベント  ブルー  ６３、青色４０３号）、Ｃ．Ｉ．Ｓｏｌｖｅｎｔ  Ｖｉｏｌｅｔ  １３（Ｃ．Ｉ．ソルベント  バイオレット  １３、紫色２０１号）、Ｃ．Ｉ．Ａｃｉｄ  Ｇｒｅｅｎ  ２５（Ｃ．Ｉ．アシッド  グリーン  ２５、緑色２０１号）、Ｃ．Ｉ．Ａｃｉｄ  Ｂｌｕｅ  １１２、Ｃ．Ｉ．Ｓｏｌｖｅｎｔ  Ｇｒｅｅｎ  ３（緑色２０２号）、Ｃ．Ｉ．Ｖａｔ  Ｂｌｕｅ  ６（Ｃ．Ｉ．バット  ブルー  ６、青色２０４号）、Ｃ．Ｉ．Ｓｏｌｖｅｎｔ  Ｂｌｕｅ  １１、Ｃ．Ｉ．Ｓｏｌｖｅｎｔ  Ｂｌｕｅ  １２、Ｃ．Ｉ．Ｓｏｌｖｅｎｔ  Ｂｌｕｅ  ３６、Ｃ．Ｉ．Ａｃｉｄ  Ｖｉｏｌｅｔ  ４３（紫色４０１号）、Ｃ．Ｉ．Ａｃｉｄ  Ｂｌｕｅ  ４１、Ｃ．Ｉ．Ａｃｉｄ  Ｂｌｕｅ  ６２、Ｃ．Ｉ．Ａｃｉｄ  Ｂｌｕｅ  ７８、Ｃ．Ｉ．Ｄｉｒｅｃｔ  Ｇｒｅｅｎ  ２８（Ｃ．Ｉ．ダイレクト  グリーン  ２８）、Ｃ．Ｉ．Ａｃｉｄ  Ｖｉｏｌｅｔ  ３４、Ｃ．Ｉ．Ａｃｉｄ  Ｖｉｏｒｅｔ  ４１、Ｃ．Ｉ．Ａｃｉｄ  Ｖｉｏｒｅｔ  ５１、Ｃ．Ｉ．Ａｃｉｄ  Ｂｌｕｅ  ２３、Ｃ．Ｉ．Ａｃｉｄ  Ｂｌｕｅ  ２５、Ｃ．Ｉ．Ａｃｉｄ  Ｂｌｕｅ  ２７、Ｃ．Ｉ．Ａｃｉｄ  Ｂｌｕｅ  ４０、Ｃ．Ｉ．Ａｃｉｄ  Ｂｌｕｅ  ４３、Ｃ．Ｉ．Ａｃｉｄ  Ｂｌｕｅ  ４５、Ｃ．Ｉ．Ａｃｉｄ  Ｂｌｕｅ  ８０、Ｃ．Ｉ．Ａｃｉｄ  Ｂｌｕｅ  １２６、Ｃ．Ｉ．Ａｃｉｄ  Ｂｌｕｅ  １２７、Ｃ．Ｉ．Ａｃｉｄ  Ｂｌｕｅ  １２９、Ｃ．Ｉ．Ａｃｉｄ  Ｂｌｕｅ  １３８、Ｃ．Ｉ．Ａｃｉｄ  Ｂｌｕｅ  １４３、Ｃ．Ｉ．Ａｃｉｄ  Ｂｌｕｅ  １８２、Ｃ．Ｉ．Ａｃｉｄ  Ｂｌｕｅ  １８３、Ｃ．Ｉ．Ａｃｉｄ  Ｂｌｕｅ  ２０３、Ｃ．Ｉ．Ａｃｉｄ  Ｂｌｕｅ  ２０４、Ｃ．Ｉ．Ａｃｉｄ  Ｂｌｕｅ  ２０５、Ｃ．Ｉ．Ａｃｉｄ  Ｇｒｅｅｎ  ３６、Ｃ．Ｉ．Ａｃｉｄ  Ｇｒｅｅｎ  ４０、Ｃ．Ｉ．Ａｃｉｄ  Ｇｒｅｅｎ  ４１、Ｃ．Ｉ．Ａｃｉｄ  Ｇｒｅｅｎ  ４４、Ｃ．Ｉ．Ａｃｉｄ  Ｂｒｏｗｎ  ２７（Ｃ．Ｉ．アシッド  ブラウン  ２７）、Ｃ．Ｉ．Ａｃｉｄ  Ｂｌａｃｋ  ４８（Ｃ．Ｉ．アシッド  ブラック  ４８）、Ｃ．Ｉ．Ａｃｉｄ  Ｂｌａｃｋ  ５０、Ｃ．Ｉ．Ｄｉｓｐｅｒｓｅ  Ｒｅｄ  ９（Ｃ．Ｉ．ディスパース  レッド  ９）、Ｃ．Ｉ．Ｓｏｌｖｅｎｔ  Ｖｉｏｌｅｔ  １４、Ｃ．Ｉ．Ｄｉｓｐｅｒｓｅ  Ｖｉｏｌｅｔ  １、Ｃ．Ｉ．Ａｃｉｄ  Ｇｒｅｅｎ  ２７等が挙げられる。
本明細書において、「Ｃ．Ｉ．」は、カラーインデックスの略である。
各色素の構造は「法定色素ハンドブック」（日本化粧品工業連絡会編）、染料便覧（有機合成化学協会編）に記載されている。
【００１２】
アントラキノン系色素として、下記式（Ｂ１）で表される化合物が好ましい。
【００１３】
【化１】
2019183089.tif 000002
【００１４】
式（Ｂ１）中、Ｘ１、Ｘ２、Ｘ３、Ｘ４はそれぞれ独立に−ＮＲ１１Ｒ１２、水素原子、−ＯＨ、又は−ＮＯ２であり、Ｒ１１、Ｒ１２はそれぞれ独立に水素原子、炭素数１〜１５の直鎖もしくは分岐鎖のアルキル基、炭素数３〜６のシクロアルキル基、又は置換基で置換されていてもよいフェニル基であり、Ｙ１、Ｙ２、Ｙ３、Ｙ４はそれぞれ独立に水素原子、ハロゲン原子、−ＣＮ、−Ｒ１５、−ＯＲ１６、−ＳＯ３Ｈ、−ＳＯ３Ｎａ、又は−ＣＯＮＨ２である。Ｒ１５、Ｒ１６はそれぞれ独立に炭素数１〜１５の直鎖もしくは分岐鎖のアルキル基、炭素数３〜６のシクロアルキル基、又は置換基で置換されていてもよいフェニル基である。
好ましくはＸ１、Ｘ２、Ｘ３、Ｘ４の少なくともひとつが−ＮＲ１１Ｒ１２であり、さらに好ましくはＸ１、Ｘ２の少なくともひとつが−ＮＲ１１Ｒ１２であり、かつＸ３、Ｘ４、Ｙ３、Ｙ４が水素原子である。
フェニル基の置換基としては、炭素数１〜１５のアルキル基、−ＣＯ２Ｈ、−ＣＯ２Ｎａ、−ＳＯ３Ｈ、−ＳＯ３Ｎａ、又は−ＮＲ１３Ｃ（Ｏ）Ｒ１４（Ｒ１３、Ｒ１４はそれぞれ独立に、水素原子、炭素数１〜１５の直鎖又は分岐鎖のアルキル基）、フェニル基が挙げられる。
Ｒ１１、Ｒ１２の一方が水素原子、他方が炭素数１〜１０の直鎖もしくは分岐鎖のアルキル基、又は置換基で置換されていてもよいフェニル基であることが好ましい。
【００１５】
上記式（Ｂ１）で表されるアントラキノン系色素のなかでも、Ｃ．Ｉ．Ｓｏｌｖｅｎｔ  Ｂｌｕｅ  ６３（青色４０３号）、Ｃ．Ｉ．Ｓｏｌｖｅｎｔ  Ｖｉｏｌｅｔ  １３（紫色２０１号）、Ｃ．Ｉ．Ａｃｉｄ  Ｇｒｅｅｎ  ２５（緑色２０１号）、Ｃ．Ｉ．Ｓｏｌｖｅｎｔ  Ｇｒｅｅｎ  ３（緑色２０２号）、Ｃ．Ｉ．Ｓｏｌｖｅｎｔ  Ｂｌｕｅ  １１、Ｃ．Ｉ．Ｓｏｌｖｅｎｔ  Ｂｌｕｅ  １２、Ｃ．Ｉ．Ｓｏｌｖｅｎｔ  Ｂｌｕｅ  ３６、Ｃ．Ｉ．Ａｃｉｄ  Ｖｉｏｌｅｔ  ４３（紫色４０１号）、Ｃ．Ｉ．Ａｃｉｄ  Ｖｉｏｌｅｔ  ３４、Ｃ．Ｉ．Ａｃｉｄ  Ｂｌｕｅ  ４５、Ｃ．Ｉ．Ａｃｉｄ  Ｇｒｅｅｎ  ４１、およびＣ．Ｉ．Ｓｏｌｖｅｎｔ  Ｖｉｏｌｅｔ  １４からなる群から選ばれる１種以上がより好ましく、Ｃ．Ｉ．Ｓｏｌｖｅｎｔ  Ｂｌｕｅ  ６３（青色４０３号）、Ｃ．Ｉ．Ｓｏｌｖｅｎｔ  Ｖｉｏｌｅｔ  １３（紫色２０１号）、Ｃ．Ｉ．Ａｃｉｄ  Ｇｒｅｅｎ  ２５（緑色２０１号）、Ｃ．Ｉ．Ｓｏｌｖｅｎｔ  Ｇｒｅｅｎ  ３（緑色２０２号）、Ｃ．Ｉ．Ｓｏｌｖｅｎｔ  Ｂｌｕｅ  １１、Ｃ．Ｉ．Ｓｏｌｖｅｎｔ  Ｂｌｕｅ  １２、Ｃ．Ｉ．Ｓｏｌｖｅｎｔ  Ｂｌｕｅ  ３６、およびＣ．Ｉ．Ａｃｉｄ  Ｖｉｏｌｅｔ  ４３（紫色４０１号）からなる群から選ばれる１種以上がさらに好ましい。
【００１６】
（Ｂ）成分の含有量は、液体漂白剤組成物の総質量に対して０．１〜１００質量ｐｐｍが好ましく、０．５〜３０質量ｐｐｍがより好ましく、１〜１０質量ｐｐｍがさらに好ましい。
（Ｂ）成分の含有量が上記下限値以上であると、液位視認性を向上しやすい。
（Ｂ）成分の含有量が上記上限値以下であると、被洗物に着色しにくい。
【００１７】
＜（Ｃ）成分＞
（Ｃ）成分は、１−ヒドロキシエタン−１，１−ジホスホン酸である。（Ｃ）成分はキレート剤として作用する。
（Ｃ）成分の含有量は、液体漂白剤組成物の総質量に対し、０．０１〜５質量％が好ましく、０．０５〜３質量％がより好ましく、０．１〜１質量％がさらに好ましい。
（Ｃ）成分の含有量が上記範囲内であると、保存後の容器の膨らみを抑制しやすい。
【００１８】
＜（Ｄ）成分＞
（Ｄ）成分は界面活性剤である。界面活性剤としては、ノニオン界面活性剤、アニオン界面活性剤、両性界面活性剤、半極性界面活性剤、カチオン界面活性剤が挙げられる。（Ｄ）成分は１種単独で用いてもよく、２種以上を適宜組み合わせて用いてもよい。
【００１９】
［ノニオン界面活性剤］
ノニオン界面活性剤としては、従来、液体洗浄剤に用いられているものであればよく、例えば、ポリオキシアルキレン型ノニオン界面活性剤、アルキルフェノール、高級アミン等のアルキレンオキシド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、多価アルコール脂肪酸エーテル、アルキル（又はアルケニル）アミンオキシド、硬化ヒマシ油のアルキレンオキシド付加体、糖脂肪酸エステル、Ｎ−アルキルポリヒドロキシ脂肪酸アミド、アルキルグリコシド等が挙げられる。これらのノニオン界面活性剤は、１種単独で用いられてもよいし、２種以上が組み合わされて用いられてもよい。
上記のなかでも、液体漂白剤の安定性、洗浄力等の点から、ポリオキシアルキレン型ノニオン界面活性剤が好ましく、下記式（Ｉ）で表されるポリオキシアルキレンアルキルエーテル（以下、化合物（Ｉ）ということがある）が特に好ましい。
Ｒ１−Ｘ−［（ＥＯ）ｐ／（ＰＯ）ｑ］−Ｒ２  ・・・（Ｉ）
［（Ｉ）式中、Ｒ１は炭化水素基であり、−Ｘ−は２価の連結基であり、Ｒ２は水素原子、アルキル基又はアルケニル基である。ＥＯはオキシエチレン基であり、ｐはＥＯの平均繰り返し数を表す数である。ＰＯはオキシプロピレン基であり、ｑはＰＯの平均繰り返し数を表す数である。］
Ｒ１は炭素数が６〜２２であることが好ましく、８〜２２がより好ましく、１０〜１８がさらに好ましく、１２〜１６が特に好ましい。
Ｒ１の炭化水素基は、直鎖であっても分岐鎖であってもよく、不飽和結合を有していても有していなくてもよい。
−Ｘ−としては、−Ｏ−、−ＣＯＯ−、−ＣＯＮＨ−等が挙げられ、−Ｏ−が好ましい。−Ｘ−が−Ｏ−のとき、Ｒ２としては、水素原子が好ましい。
ｐは３〜２０であることが好ましく、４〜１８がさらに好ましく、５〜１２が特に好ましく、６〜９が最も好ましい。ｑは０〜６であることが好ましく、０〜３であることがさらに好ましい。また、ｐとｑの合計は５〜２０であることが好ましい。
ｑが０でない場合、つまり化合物（Ｉ）がＥＯとＰＯとの両方を有する場合、ＥＯとＰＯとは、ブロック状に付加されていてもよく、ランダム状に付加されていてもよい。ＥＯとＰＯとをブロック状に付加する方法としては、例えば、エチレンオキシドを導入した後にプロピレンオキシドを導入する方法、プロピレンオキシドを導入した後にエチレンオキシドを導入する方法が挙げられる。エチレンオキシド及びプロピレンオキシドの付加モル数分布は特に限定されない。
ノニオン界面活性剤は、１種単独で用いてもよく、２種以上を適宜組み合わせて用いてもよい。
【００２０】
一つの局面において、液体漂白剤組成物を洗剤と共に用いる助剤として使用することがある。この際、ノニオン界面活性剤の含有量は、液体漂白剤組成物の総質量に対して０．５〜３０質量％が好ましく、１〜２０質量％がより好ましく、５〜１５質量％がさらに好ましい。
ノニオン界面活性剤の含有量が上記下限値以上であると、洗浄力を向上しやすい。
ノニオン界面活性剤の含有量が上記上限値以下であると、液の外観安定性を向上しやすい。
【００２１】
他の局面において、液体漂白剤組成物を漂白剤入りの洗剤として単独で使用することがある。この際、ノニオン界面活性剤の含有量は、液体漂白剤組成物の総質量に対して５〜７０質量％が好ましく、１０〜６５質量％がより好ましく、２０〜６０質量％がさらに好ましい。
ノニオン界面活性剤の含有量が上記下限値以上であると、洗浄力を向上しやすい。
ノニオン界面活性剤の含有量が上記上限値以下であると、液の外観安定性を向上しやすい。
【００２２】
［アニオン界面活性剤］
アニオン界面活性剤としては、例えばポリオキシアルキレンアルキルエーテル硫酸又はその塩、直鎖アルキルベンゼンスルホン酸又はその塩、α−オレフィンスルホン酸塩、直鎖又は分岐鎖のアルキル硫酸エステル塩、アルキル基を有するアルカンスルホン酸塩、α−スルホ脂肪酸エステル塩等が挙げられる。これらのアニオン界面活性剤における塩としては、ナトリウム、カリウム等のアルカリ金属塩、マグネシウム等のアルカリ土類金属塩、モノエタノールアミン、ジエタノールアミン等のアルカノールアミン塩等が挙げられる。
アニオン界面活性剤は、１種単独で用いられてもよいし、２種以上が組み合わされて用いられてもよい。
【００２３】
ポリオキシアルキレンアルキルエーテル硫酸又はその塩としては、具体的には下記一般式（ＩＩ）で表される化合物が好ましい。
Ｒ３−［（ＥＯ）ｍ／（ＰＯ）ｎ］−ＳＯ３−Ｍ＋・・・（ＩＩ）
［式（ＩＩ）中、Ｒ３は炭素数８〜２０の直鎖状もしくは分岐鎖状のアルキル基である。ＥＯはオキシエチレン基を表し、ＰＯはオキシプロピレン基を表す。ｍは、ＥＯの平均繰り返し数を表し、０以上の数である。ｎは、ＰＯの平均繰り返し数を表し、０〜６の数である。０＜ｍ＋ｎである。Ｍ＋は対カチオンである。］
ポリオキシアルキレンアルキルエーテル硫酸塩としては、炭素数１０〜２０の直鎖もしくは分岐鎖のアルキル基を有し、平均１〜５モルのアルキレンオキシドが付加されたものが好ましい。
Ｒ３の炭素数は、１０〜２０が好ましく、１２〜１４がより好ましい。
ＥＯの平均繰り返し数は、０〜５が好ましく、０．５〜３がより好ましい。
ＰＯの平均繰り返し数は０〜３が好ましく、０がより好ましい。
Ｍ＋としては、ナトリウムイオン、カリウムイオン等のアルカリ金属イオン、マグネシウムイオン等のアルカリ土類金属イオン、モノエタノールアミン、ジエタノールアミン等のアルカノールアミンから誘導されるカチオン等が挙げられる。
（ＥＯ）ｍ／（ＰＯ）ｎにおいて、ＥＯとＰＯはランダム付加であってもよくブロック付加であってもよい。
市販品を用いてもよいし、公知の合成方法で製造してもよい。公知の製造方法としては、ポリオキシアルキレンアルキルエーテルに、無水硫酸を反応させるか、クロルスルホン酸を反応させる方法が挙げられる。
【００２４】
直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、アルキル基の炭素数が１０〜２０のものが好ましい。
アルカンスルホン酸塩としては、アルキル基の炭素数が１０〜２０のものが好ましく、１４〜１７のものがより好ましい。中でも、前記アルキル基が２級アルキル基であるもの（すなわち２級アルカンスルホン酸塩）が特に好ましい。
α−スルホ脂肪酸エステル塩としては、脂肪酸残基の炭素数が１０〜２０のものが好ましい。
これらの中でも、洗浄力と安定性に優れる点で、ポリオキシアルキレンアルキルエーテル硫酸又はその塩、直鎖アルキルベンゼンスルホン酸又はその塩、アルカンスルホン酸塩、及びα−オレフィンスルホン酸塩が好ましく、ポリオキシアルキレンアルキルエーテル硫酸又はその塩がより好ましい。
【００２５】
アニオン界面活性剤の含有量は、液体漂白剤組成物の総質量に対して０〜４０質量％が好ましく、０．２〜２０質量％がより好ましく、０．５〜１０質量％がさらに好ましく、１〜５質量％が特に好ましい。
含有量が前記範囲内であれば、対象物に直接塗布するのに適した粘度及びより良好な保存安定性を有する漂白剤組成物を得ることができる。
【００２６】
［両性界面活性剤］
両性界面活性剤としては、アルキルカルボキシベタイン、アルキルスルホベタイン、アルキルヒドロキシスルホベタイン、アルキルアミドベタイン、イミダゾリニウムベタイン等が挙げられる。
【００２７】
［半極性界面活性剤］
半極性界面活性剤としては、アミンオキシド型界面活性剤であるラウリルジメチルアミンオキシド、ラウリン酸アミドプロピルジメチルアミンオキシド等が挙げられる。
【００２８】
［カチオン界面活性剤］
カチオン界面活性剤としては、例えば、アルキルトリメチルアンモニウム塩、ジアルキルジメチルアンモニウム塩、アルキルベンジルジメチルアンモニウム塩、アルキルピリジニウム塩等が挙げられ、アルキルトリメチルアンモニウム塩が好ましい。これらの塩の対イオンとしては、ハロゲンイオンとしてフッ化物イオン、塩化物イオン、臭化物イオン、ヨウ化物イオン等が挙げられ、アルキル硫酸イオンとして、炭素数１〜３のアルキル基を有するものが好ましく、例えばメチル硫酸イオン、エチル硫酸イオン等が挙げられる。カチオン界面活性剤は、設備への腐食性の点から、メチル硫酸塩、エチル硫酸塩として用いることが好ましい。
両性界面活性剤、半極性界面活性剤、カチオン界面活性剤の合計の含有量は、液体漂白剤組成物の総質量に対して０〜１０質量％が好ましく、０．２〜５質量％がより好ましく、０．３〜３質量％がさらに好ましく、０．５〜１．５質量％が特に好ましい。
【００２９】
本発明において、（Ｄ）成分の含有量（界面活性剤の合計量）は、液体漂白剤組成物の総質量に対して５質量％以上である。
一つの局面において、液体漂白剤組成物を洗剤と共に用いる助剤として使用することがある。この際、（Ｄ）成分の含有量は、液体漂白剤組成物の総質量に対して５〜２０質量％が好ましく、７〜１５質量％がより好ましい。
（Ｄ）成分の含有量が上記下限値以上であると、洗浄力を向上しやすい。
（Ｄ）成分の含有量が上記上限値以下であると、外観安定性を向上しやすい。
【００３０】
他の局面において、液体漂白剤組成物を漂白剤入りの洗剤として単独で使用することがある。この際、（Ｄ）成分の含有量は、液体漂白剤組成物の総質量に対して５〜７０質量％が好ましく、１０〜６５質量％がより好ましく、３０〜６０質量％がさらに好ましい。
（Ｄ）成分の含有量が上記下限値以上であると、洗浄力を向上しやすい。
（Ｄ）成分の含有量が上記上限値以下であると、外観安定性を向上しやすい。
【００３１】
＜（Ｅ）成分＞
（Ｅ）成分は、フェノール系ラジカルトラップ剤である。
（Ｅ）成分としては、例えばｐ−メトキシフェノール、ジブチルヒドロキシトルエン等が挙げられる。
（Ｅ）成分は、１種単独で用いてもよく、２種以上を適宜組み合わせて用いてもよい。
【００３２】
（Ｅ）成分の含有量は、液体漂白剤組成物の総質量に対して０〜０．２質量％未満であり、０〜０．１％が好ましく、０〜０．０５質量％がより好ましい。
（Ｅ）成分の含有量が上記上限値以下であると、液体漂白剤組成物の臭気を抑制しやすい。
【００３３】
＜（Ｆ）成分＞
（Ｆ）成分は漂白活性化剤である。（Ｆ）成分は、それ自体は漂白効果を持たないが、液体漂白剤組成物中で過酸化水素と反応して酸化力の高い有機過酸に変わる物質である。
漂白活性化剤として公知の化合物を用いることができる。例えば、テトラアセチルエチレンジアミン；炭素数１〜１８、好ましくは炭素数８〜１２のアルカノイル基を有するアルカノイルオキシベンゼンスルホン酸又はその塩；炭素数１〜１８、好ましくは炭素数８〜１２のアルカノイル基を有するアルカノイルオキシ安息香酸又はその塩が挙げられる。このうち、４−デカノイルオキシ安息香酸（ＤＯＢＡ）、４−ドデカノイルオキシベンゼンスルホン酸ナトリウム（ＤＯＢＳ）、４−ノナノイルオキシベンゼンスルホン酸ナトリウム（ＮＯＢＳ）が好ましい。
（Ｆ）成分は１種単独で用いてもよく、２種以上を適宜組み合わせて用いてもよい。
【００３４】
（Ｆ）成分の含有量は、液体漂白剤組成物の総質量に対して０．１〜２質量％が好ましく、０．２〜１．５質量％がより好ましく、０．４〜１質量％がさらに好ましい。
漂白活性化剤の含有量が上記下限値以上であると、液体漂白剤組成物における黄ばみに対する漂白力が高まる。
漂白活性化剤の含有量が上記上限値以下であると、外観安定性の向上が図れる。
【００３５】
＜任意成分＞
本発明の液体漂白剤組成物は、上記（Ａ）〜（Ｆ）成分以外に、液体漂白剤組成物に通常用いられる任意成分を含有してもよい。
任意成分としては、ｐＨ調整剤、有機溶剤、香料、ハイドロトロープ剤、抗菌剤、緩衝剤、溶媒が挙げられる。
【００３６】
［ｐＨ調整剤］
ｐＨ調整剤としては、例えば、水酸化ナトリウム、塩酸、硫酸、水酸化ナトリウム、水酸化カリウム、モノエタノールアミン、ジエタノールアミン、トリエタノールアミン、アンモニア等が挙げられる。
【００３７】
［香料］
香料は、香料原料単体、又は、香料原料と香料用溶剤と香料安定化剤等とからなる香料組成物を含むものであり、液体漂白剤組成物に通常用いられる香料を配合することができる。
香料の含有量は、液体漂白剤組成物の総質量に対して０．０１〜１．０質量％が好ましい。
【００３８】
［ハイドロトロープ剤］
ハイドロトロープ剤としては、例えば炭素数２〜４のアルコール類、グリコール類、ポリグリコール類、アルキルエーテル類などの水混和性有機溶剤；トルエンスルホン酸、キシレンスルホン酸、安息香酸塩、尿素などが挙げられる。
ハイドロトロープ剤の含有量は、液体漂白剤組成物の総質量に対して０．０１〜１５質量％が好ましい。
水混和性有機溶剤としては、エタノール、１−プロパノール、２−プロパノール、１−ブタノール等のアルコール類、プロピレングリコール、ブチレングリコール、ヘキシレングリコール等のグリコール類、ジプロピレングリコール等のポリグリコール類、ジエチレングリコールモノブチルエーテル（ブチルカルビトール）、ジエチレングリコールジメチルエーテル、３−メトキシ−３−メチル−１−ブタノール等のアルキルエーテル類、フェノキシエタノール、ジエチレングリコールモノフェニルエーテル、トリエチレングリコールモノフェニルエーテル等の芳香族エーテル類等が挙げられ、これらの中でも、エタノール、プロピレングリコール、ジエチレングリコールモノブチルエーテル（ブチルカルビトール）、３−メトキシー３−メチル−１−ブタノール、フェノキシエタノール、ジエチレングリコールモノフェニルエーテルが好ましい。
水混和性有機溶剤は、１種単独で用いられてもよく、２種以上が組み合わされて用いられてもよい。水混和性有機溶剤の含有量は、液体漂白剤組成物の総質量に対して、０．１〜１５質量％が好ましい。なお、本発明において、水混和性有機溶剤とは、２５℃のイオン交換水１Ｌに２０ｇ以上溶解する有機溶剤をいう。
【００３９】
［抗菌剤］
抗菌剤としては、ダイクロサン、トリクロサン、ビス−（２−ピリジルチオ−１−オキシド）亜鉛、ポリヘキサメチレンビグアニド塩酸塩、８−オキシキノリン、ポリリジン等が挙げられる。
抗菌剤の含有量は、液体漂白剤組成物の総質量に対して、０質量％超３質量％以下が好ましく、０．００１〜１質量％がより好ましく、０．００５〜０．５質量％がさらに好ましく、０．０１〜０．３質量％が特に好ましい。
【００４０】
［緩衝剤］
緩衝剤としては、クエン酸、ホウ酸化合物、例えば四ホウ酸ナトリウム等が挙げられる。
緩衝剤の含有量は、液体漂白剤組成物の総質量に対し、０．０１〜２質量％が好ましい。
【００４１】
［溶媒］
溶媒として水を含むことが好ましい。
本発明の液体漂白剤組成物は、水溶液であることが好ましく、エマルジョンを形成していないことが好ましい。
水の含有量は、液体漂白剤組成物の総質量に対して３０質量％以上が好ましく、３５〜９５質量％がより好ましく、５０〜９５質量％がさらに好ましく、８０〜９０質量％が最も好ましい。
本発明の液体漂白剤組成物の各成分の含有量の合計は、１００質量％を超えない。
【００４２】
本発明の液体漂白剤組成物の２５℃におけるｐＨは２〜４であり、２〜３が好ましく、２．５〜３がより好ましい。液体漂白剤組成物のｐＨが上記の範囲内であると色調安定性に優れる。
液体漂白剤組成物のｐＨは、必要に応じて、ｐＨ調整剤を添加することにより調整できる。
なお、本明細書において、ｐＨは、測定対象を２５℃とし、ｐＨメーター（製品名：ＨＭ−３０Ｇ、東亜ディーケーケー株式会社製）により測定される値を意味する。
【００４３】
本発明の液体漂白剤組成物の２５℃における粘度は１０ｍＰａ・ｓ以上であり、２０〜３００ｍＰａ・ｓが好ましく、３０〜２００ｍＰａ・ｓがより好ましい。液体漂白剤組成物の粘度が上記範囲の下限値以上であると、泡立ち抑制効果に優れ、液位視認性に優れる。上限値以下であると使用性が向上しやすい。
液体漂白剤組成物の粘度は、溶媒、ハイドロトロープ剤の添加量、ｐＨ等により調整できる。
なお、本明細書において、粘度は、測定対象を２５℃とし、Ｂ型（ブルックフィールド型）粘度計を用いて測定される値を意味する。
【００４４】
≪液体漂白剤組成物の製造方法≫
本発明の液体漂白剤組成物は、例えば、（Ａ）〜（Ｄ）成分と、必要に応じて（Ｅ）成分、（Ｆ）成分、任意成分を混合し、必要に応じて所定のｐＨになるように調整することによって製造できる。
【００４５】
≪液体漂白剤組成物の使用方法≫
本発明の液体漂白剤組成物の使用方法は、例えば、液体漂白剤組成物を単独でまたは公知の洗浄剤や柔軟剤とともに水に入れて洗浄液とし、この洗浄液に被洗物を入れ、洗濯機で洗浄する方法、液体漂白剤組成物をあらかじめ水に溶解し、これに被洗物を浸漬し、その後洗濯機で洗浄する方法等が挙げられる。また、液体漂白剤組成物を被洗物に塗布した後、適宜放置し、その後、通常の洗濯を行ってもよい。
被洗物としては、例えば、衣料、布帛、シーツ、カーテン、絨毯等の繊維製品が挙げられる。
洗浄液中の液体漂白剤組成物の含有量は、特に限定されない。水に対する液体漂白剤組成物の添加量は、例えば、水１０Ｌ当たり、液体漂白剤組成物２〜１５ｍＬとされる。
【００４６】
≪液体漂白剤組成物製品≫
本発明の液体漂白剤組成物製品は、本発明の液体漂白剤組成物が、容器本体を備える容器に収容されてなる。
図１は本発明の液体漂白剤組成物製品の一例を示す斜視図である。図１の液体漂白剤組成物製品１は、液体漂白剤組成物１０を収容する略直方体の外観の容器本体１００と、着脱可能に取り付けられたキャップ１１０とを備える。
容器本体の少なくとも一部の光透過率は１０％以上である。なお、本明細書において、光透過率は４００〜７００ｎｍの波長領域における値であり、光透過率の測定には、島津製作所製ＳｏｌｉｄＳｐｅｃ−３７００を用いた。
例えば図１において、容器本体１００は、内部を視認可能な窓部２０を側面に有する。窓部２０は容器本体１００の縦方向（高さ方向）に沿って形成されている。窓部２０は、光透過率が１０％以上である。
窓部２０の面積は、容器の全表面積に対し、０．５面積％以上が好ましい。
【００４７】
図２の液体漂白剤組成物製品２は、液体漂白剤組成物１０ａを収容する正面視で八角形の扁平な外観の容器本体１００ａと、着脱可能に取り付けられたキャップ１１０ａとを備える。
容器本体１００ａは、内部を視認可能な窓部２０ａを側面に有する。窓部２０ａは容器本体１００ａの縦方向（高さ方向）に沿って形成されている。窓部２０ａは、光透過率が１０％以上である。
窓部２０ａの面積は、容器の全表面積に対し、０．５面積％以上が好ましい。
【００４８】
図３の液体漂白剤組成物製品３は、液体漂白剤組成物１０ｂを収容する略円柱状の外観の容器本体１００ｂと、着脱可能に取り付けられたキャップ１１０ｂとを備える。
容器本体１００ｂは、全体の光透過率が１０％以上である。
図４の液体漂白剤組成物製品４は、液体漂白剤組成物１０ｂを収容する略円柱状の外観の容器本体１００ｂと、着脱可能に取り付けられたキャップ１１０ｂとを備える図３の液体漂白剤組成物製品３に、透明部分１３０を有するラベル１２０を設けたものである。
容器本体１００ｂに透明部分１３０を有するラベル１２０を設けると、透明部分１３０が窓部となり、透明部分１３０から内部を視認できる。透明部分１３０は容器本体１００ｂの縦方向（高さ方向）に沿って形成されている。
【００４９】
容器は可撓性容器であることが好ましい。「可撓性」とは、容器内の圧力が変化した際に、容器が破損せずに柔軟に変形することをいう。
可撓性容器としては、プラスチック製容器、紙製容器、金属製容器等が挙げられる。
プラスチック製容器の構成材料としては、ポリエチレン（ＰＥ）、ポリプロピレン（ＰＰ）、ポリエチレンテレフタレート（ＰＥＴ）、ポリブチレンテレフタレート（ＰＢＴ）、ポリシクロへキシレンジメチレンテレフタレート（ＰＣＴ）、ポリアセタール（ＰＯＭ）、ポリエチレンナフタレート（ＰＥＮ）、ポリスチレン（ＰＳ）、アクリロニトリル・ブタジエン・スチレン樹脂（ＡＢＳ）、セルロースプロピオネート（ＣＰ）、ポリアリレート、ポリカーボネート、アクリロニトリル・スチレン共重合樹脂（ＡＳ）等が挙げられる。
金属製容器の構成材料としては、アルミニウム等が挙げられる。
その他、紙に金属箔を貼り合せた積層体や、プラスチックに紙を貼り合せた積層体、プラスチックに金属箔を貼り合せた積層体なども用いることができる。
【実施例】
【００５０】
以下に実施例を用いて本発明をさらに詳しく説明するが、本発明はこれら実施例に限定されるものではない。
表１、２、３に示す組成に従い各成分を混合して各液体漂白剤組成物を得た。
表中の配合量の単位は、（Ｂ）成分は「質量ｐｐｍ」、（Ｂ）成分以外は「質量％」であり、いずれの成分も純分換算量を示す。
表中の空欄はその成分が配合されていないことを示す。
「バランス」は、各例の組成物に含まれる全配合成分の合計の配合量（質量％）が１００質量％となるように水が配合されていることを意味する。
以下に、表中に示した成分について説明する。
【００５１】
＜（Ａ）成分＞
・ａ−１：過酸化水素（３５質量％工業用過酸化水素、三菱ガス化学株式会社製）。
＜（Ｂ）成分＞
・ｂ−１：Ｃ．Ｉ．Ｓｏｌｖｅｎｔ  Ｖｉｏｌｅｔ  １３（紫色２０１号、構造は下記式（Ｂ１−１））、癸巳化成株式会社製、紫色２０１号。
・ｂ−２：Ｃ．Ｉ．Ｓｏｌｖｅｎｔ  Ｂｌｕｅ  ６３（青色４０３号、構造は下記式（（Ｂ１−２））、癸巳化成株式会社製、青色４０３号。
・ｂ−３：Ｃ．Ｉ．Ｓｏｌｖｅｎｔ  Ｇｒｅｅｎ  ３（緑色２０２号、構造は下記式（（Ｂ１−３））、癸巳化成株式会社製、緑色２０２号。
＜（Ｂ）成分の比較品＞
・ｂ’−１：Ｃ．Ｉ．Ａｃｉｄ  Ｂｌｕｅ  ７４（青色２号、構造は下記式（Ｂ’−１））、ダイワ化成製、青色２号。
・ｂ’−２：Ｃ．Ｉ．Ｆｏｏｄ  Ｂｌｕｅ  ２（青色１号、興洋化学株式会社製、食用青色１号(ブリリアントブルーＦＣＦ)、構造は下記式（Ｂ’−２））。
【００５２】
【化２】
2019183089.tif 000003
【００５３】
【化３】
2019183089.tif 000004
【００５４】
＜（Ｃ）成分＞
・ｃ−１：１−ヒドロキシエタン−１，１−ジホスホン酸（ＨＥＤＰ）、イタルマッチ社製、商品名「デイクエスト２０１０」。
＜（Ｄ）成分＞
・ｄ−１（ＡＥ６）：ポリオキシエチレンアルキルエーテル、ライオン株式会社製、商品名「レオックスＣＬ−６０」；上記式（Ｉ）中、Ｒ１が炭素数１２及び炭素数１４の直鎖状のアルキル基であり、Ｒ２が水素原子であり、ＸがＯであり、ｐが６であり、ｑが０である化合物。
・ｄ−２（ＡＥ９）：ポリオキシエチレンアルキルエーテル、ライオン株式会社製、商品名「レオックスＣＬ−９０」；上記式（Ｉ）中、Ｒ１が炭素数１２及び炭素数１４の直鎖状のアルキル基であり、Ｒ２が水素原子であり、ＸがＯであり、ｐが９であり、ｑが０である化合物。
・ｄ−３（ＡＥＳ）：ポリオキシアルキレンアルキルエーテル硫酸ナトリウム塩（ポリオキシエチレンラウリルエーテル硫酸ナトリウム、ＥＯの平均付加モル数２）（新日本理化株式会社製、商品名「シノリン ＳＰＥ―１２５０」。）
・ｄ−４（ＬＡＳ）：直鎖アルキル（炭素数１０〜１４）ベンゼンスルホン酸ナトリウム、ライオン株式会社製、商品名「ライポンＬＳ２５０」。
・ｄ−５（ＡＰＡＸ）：ラウリン酸アミドプロピルジメチルアミンオキシド、クラリアント社製、商品名「ＧＥＮＡＭＩＮＯＸ  ＡＰ」；下記式（ＩＩＩ）において、Ｒ４が炭素数１１の直鎖状アルキル基であり、Ｒ５及びＲ６がメチル基であり、ｑが３である化合物。
【００５５】
【化４】
2019183089.tif 000005
【００５６】
・ｄ−６：ラウリルジメチルエチルアンモニウムエチルサルフェート（第一工業製薬株式会社製、商品名「カチオーゲンＥＳ−Ｌ」）下記式（ＩＶ）において、Ｒ７はドデシル基、Ｒ８はメチル基、Ｒ９はメチル基、Ｒ１０はエチル基、Ｚ１−は硫酸エチルイオンである。
【００５７】
【化５】
2019183089.tif 000006
【００５８】
・ｄ−７：ポリオキシエチレンポリオキシプロピレンアルキルエーテル（ＥＯＰＯ型ノニオン、天然アルコールＣＯ１２７０（Ｃ１２／Ｃ１４＝７／３（質量比）、プロクター・アンド・ギャンブル社製）に、８モルのエチレンオキサイドと、２モルのプロピレンオキサイドと、８モルのエチレンオキサイドとをこの順でブロック付加して得られたノニオン界面活性剤）。
・ｄ−８：石鹸、日油株式会社製、商品名「椰子脂肪酸」。
【００５９】
＜（Ｅ）成分＞
・ｅ−１：ｐ−メトキシフェノール（川口化学工業社製、商品名「ＭＱ−Ｆ」）。
＜（Ｆ）成分＞
・ｆ−１：４−ラウロイルオキシベンゼンスルホン酸ナトリウム（ＯＢＳ）、特開２０１１−５７７４５号公報の段落０１１４に記載の手順で合成したもの。
＜任意成分＞
・ＰｒｏｘｅｌＩＢ：ポリヘキサメチレンビグアニド、ロンザジャパン株式会社製、商品名「Ｐｒｏｘｅｌ  ＩＢ」；下記式（Ｖ）の化合物。
【００６０】
【化６】
2019183089.tif 000007
【００６１】
・香料：特開２０１１−２２５７４３号公報の表１〜６に記載の香料組成物Ａ。
・溶剤：ブチルカルビトール、日本乳化剤株式会社製、商品名「ブチルジグリコール」。
・ｐ−トルエンスルホン酸（ＰＴＳ）：協和発酵工業株式会社製、商品名「ＰＴＳ酸」。
・ｐＨ調整剤：硫酸（日産化学工業株式会社製）、水酸化ナトリウム（旭硝子株式会社製）。
・水：精製水。
【００６２】
＜色調安定性の評価＞
透明のガラス製瓶に、各例の液体漂白剤組成物１００ｇをそれぞれ充填し、蓋を閉めて密封した。この瓶を５０℃にて２０日間静置して保存した。
かかる保存の後、液の外観を目視で観察し、下記評価基準に従って、液体漂白剤組成物の色調の安定性を目視で評価した。
［色調安定性の評価基準］
○：色調が保持されていた。
×：色調が明らかに悪化した。
【００６３】
＜液位視認性の評価＞
５０℃にて２０日間静置して保存した後の各例の液体漂白剤組成物を、口栓付きパウチに詰め、液位を視認可能な窓部をもつ容器に注ぎ込み、液位の視認性を下記評価基準に従って目視で評価した。
［液位視認性の評価基準］
○：液面の判別が容易である（一見して判別できる）。
△：液面の判別がやや容易である。
×：液面の判別が容易でない（一見して判別できない）。
【００６４】
＜洗浄力の評価＞
（１）油汚れ汚垢布の作製
３ｃｍ×３ｃｍに裁断したポリエステルトロピカル布に、ラー油（エスビー株式会社製）０．０２ｍＬを滴下し、室温にて一晩風乾したものを「洗浄前の油汚れ汚垢布」とした。
（２）洗浄試験
油汚れ汚垢布５枚のそれぞれに対し、同じ液体漂白剤組成物を０．１２ｍＬずつ塗布し、５分間静置した。
その後、水温１５℃に調整した水道水９００ｍＬを入れた洗浄試験機（Ｔｅｒｇ−Ｏ−Ｔｏｍｅｔｅｒ）に、洗剤（ライオン株式会社製、商品名「トップクリアリキッド」）０．７５ｇと油汚れ汚垢布５枚を入れ、１２０ｒｐｍで１０分間洗浄した（浴比２０倍）。
洗浄後に、脱水を行い、水道水（１５℃）９００ｍＬで３分間のすすぎを行った。すすぎ後、脱水し、アイロンで乾燥したものを「洗浄後の油汚れ汚垢布」とした。
３）洗浄力の評価
洗浄力は、測色色差計（日本電色社製、商品名ＳＥ２０００） を用い、汚れ付着前の原布（ラー油を滴下する前のポリエステルトロピカル布）、及び洗浄試験前後の油汚れ汚垢布についてＺ値を測定し、下式より洗浄率を算出することにより評価した。評価は、５枚の油汚れ汚垢布について算出した洗浄率の平均値を求め、下記評価基準に従って洗浄力を評価した。
洗浄率（％）＝（洗浄後の油汚れ汚垢布のＺ値−洗浄前の油汚れ汚垢布のＺ値）／（原布のＺ値−洗浄前の油汚れ汚垢布のＺ値）×１００
［洗浄力の評価基準］
○：洗浄率の平均値が１５％以上。
×：洗浄率の平均値が１５％未満。
【００６５】
＜臭気の評価＞
評価基準として、以下に示す組成を有するモデル液体漂白剤組成物を用いた。
組成：過酸化水素３％、ＡＥ（６）１０％、ＡＥＳ２％、ＨＥＤＰ０．２％、Ｐｒｏｘｅｌ  ＩＢ０．０２％、香料０．０１％、水酸化ナトリウム  ｐＨ４に調整するための必要量、精製水  バランス。
前記のモデル液体漂白剤組成物（標準品）と各例の漂白剤組成物１００ｇをそれぞれガラス製瓶に入れ、瓶口の臭気を官能で比較した。その結果を下記の評価基準に従い、評価した。
[臭気の評価基準]
○：製品のいやな臭気が標準品と同等以下に感じられる。
×：製品のいやな臭気が標準品より強く感じられる。
【００６６】
<粘度の測定>
各例の液体洗浄剤の液温を恒温槽で２５℃に調整し測定試料とした。Ｂ型粘度計（株式
会社東京計器製、「型式ＢＭ」）を用いて前記測定試料の粘度を測定した（ロータＮｏ．
２、回転数６０ｒｐｍ、回転開始から６０秒後の粘度を測定）。
【００６７】
【表１】
2019183089.tif 000008
【００６８】
【表２】
2019183089.tif 000009
【００６９】
【表３】
2019183089.tif 000010
【００７０】
本発明を適用した実施例１〜１５は、色調安定性、液位視認性、洗浄力、臭気で優れていた。特に、液の粘度が高い実施例２、４、５、６〜９、１１、１３〜１５は、容器へ注ぎ込む際に液面が泡立ち難く、液位視認性に優れていた。
（Ｅ）成分の含有量が多い比較例１、４、１１は、組成物の臭気が劣っていた。
ｐＨが高い比較例３、５は、組成物が退色して透明に近い色調になったため、一見して液面を判別できなかった。
（Ｄ）成分の合計量が少ない比較例２、６、１２は、洗浄力に劣っていた。
キノン骨格を有しない色素を用いた比較例７、８、９、１０は、（Ｅ）成分を含まず、ｐＨおよび粘度が実施例と同程度であるにもかかわらず、組成物が退色して透明に近い色調になり、一見して液面を判別できなかった。
【符号の説明】
【００７１】
１、２、３、４  液体漂白剤組成物製品
１０、１０ａ、１０ｂ  液体漂白剤組成物
２０、２０ａ  窓部
１００、１００ａ，１００ｂ  容器本体
１１０，１１０ａ，１１０ｂ  キャップ
１２０  ラベル
１３０  透明部分
【図１】
2019183089.tif 000011
【図２】
2019183089.tif 000012
【図３】
2019183089.tif 000013
【図４】
2019183089.tif 000014